(57)【要約】  【課題】  胴内裏面排紙型の画像形成装置において、排出口から排出中の用紙の紙面に形成された画像の確認を容易に行える画像形成装置を提供する。  【解決手段】  排紙口１９の下部に蛍光灯２０を設け、排紙口１９から排出される用紙Ｐの紙面に形成された画像を、前記蛍光灯２０で、前記排出される用紙Ｐの画像が形成された紙面と反対側の面に反射させて、前記排出される用紙Ｐの紙面に形成された画像を使用者に視認可能とする。これにより、排出中の用紙Ｐの紙面に形成された画像を使用者が容易に確認することができる。【選択図】  図２
2005330030.tif 000002
【特許請求の範囲】
【請求項１】
胴内裏面排紙型の画像形成装置において、排紙口の下部に光源を設け、排紙口から排出される用紙の紙面に形成された画像を、前記光源で、前記排出される用紙の画像が形成された紙面と反対側の面に反射させて、前記排出される用紙の紙面に形成された画像を使用者に視認可能としたことを特徴とする画像形成装置。
【請求項２】
前記光源の上方に、光源を覆うように透明なカバーを設けたことを特徴とする請求項１に記載の画像形成装置。
【請求項３】
前記光源は用紙の排出方向に垂直な用紙幅方向において、点灯領域を自由に選択できることを特徴とする請求項１または請求項２に記載の画像形成装置。
【発明の詳細な説明】
【技術分野】
【０００１】
本発明は、複写機，プリンター，ファクシミリ等の画像形成装置に関するものであり、特に、排出中の用紙の紙面に形成された画像を、使用者が容易に確認できる画像形成装置に関するものである。
【背景技術】
【０００２】
従来から存在する画像形成装置として、画像が形成された用紙を排出するための排出トレイを画像形成装置本体の胴内に備えたものと、画像形成装置本体の側方に備えたものがある。図４、図５は画像形成装置の一例で、図４は排出トレイ２１を画像形成装置本体の胴内に備えた複写機（以下、胴内排紙型複写機という）の従来構造の斜視図、図５は排出トレイ２２を画像形成装置本体の側方に備えた複写機（以下、機外排紙型複写機という）の従来構造の斜視図である。胴内排紙型複写機と機外排紙型複写機では、前記排出トレイ２１、２２の画像形成装置本体に対する設置位置が異なるだけで、画像形成の方式は、ほぼ同じである。
【０００３】
また、画像が形成された用紙の排出方式として、画像が形成された用紙の紙面が排出トレイ側を向くように排出トレイに積載される方式（以下、裏面排紙という）と、画像が形成された用紙の紙面が排出トレイと反対側を向くように積載される方式（以下、表面排紙という）がある。
【０００４】
前記裏面排紙の場合、排出トレイ上に排出された、用紙の紙面に形成された画像を確認することができない。そこで、例えば特許文献１では、図６のように機外排紙型複写機において、排出トレイ２２に透過部を形成し、反射鏡２３を設けることにより、反射鏡２３で、排出トレイ２２の裏側から透過部を通して裏面排紙された用紙の紙面に形成された画像を反射し、前記用紙の紙面に形成された画像を確認できるようにすることが提案されている。
【特許文献１】特開２００１−７２３００号公報
【発明の開示】
【発明が解決しようとする課題】
【０００５】
しかしながら、上記特許文献１に記載の構成では、排出トレイに最初に裏面排紙された用紙の紙面に形成された画像は確認することができるが、２枚目以降の用紙の紙面に形成された画像は確認することができず、複数の画像を同時に出力する場合に、所望の画像が排出されたことを知るためには排出された用紙を裏返す必要があった。
【０００６】
さらに、胴内排紙型複写機においては、この上記特許文献１に記載の構成は適用できないものとなっていた。
【０００７】
そこで、本発明は、このような現状に鑑みてなされたものであり、胴内排紙型画像形成装置において、排出中の用紙の紙面に形成された画像の確認を容易に行うことのできる画像形成装置を提供することをその目的とするものである。
【課題を解決するための手段】
【０００８】
上記目的を達成するために、請求項１に記載の発明は、胴内裏面排紙型の画像形成装置において、排紙口の下部に光源を設け、排紙口から排出される用紙の紙面に形成された画像を、前記光源で、前記排出される用紙の画像が形成された紙面と反対側の面に反射させて、前記排出される用紙の紙面に形成された画像を使用者に視認可能としたことを特徴とするものである。
【０００９】
請求項２に記載の発明は、請求項１に記載の画像形成装置において、前記光源の上方に、光源を覆うように透明なカバーを設けたことを特徴とするものである。
【００１０】
請求項３に記載の発明は、請求項１または請求項２に記載の画像形成装置において、前記光源は用紙の排出方向に垂直な用紙幅方向において、点灯領域を自由に選択できることを特徴とするものである。
【発明の効果】
【００１１】
本発明の構成によれば、排出口の下部に光源を設け、排出口から排出される用紙の紙面に形成された画像を、前記光源で、前記排出される用紙の画像が形成された紙面と反対側の面に透過させて、前記排出される用紙の紙面に形成された画像を使用者に視認可能としたことにより、排出中の用紙の紙面に形成された画像を使用者が容易に確認することができるため、誤った印刷を最小限に抑えることができ、複数の画像を印刷しようとした場合に、排出された用紙を裏返さなくても所望の画像が形成された用紙が排出されたことがわかる。
【００１２】
また本発明は、前記光源の上方に、光源を覆うように透明なカバーを設けたことにより、排出トレイに用紙が多量に排出され、積載された前記用紙が崩れた場合でも、前記光源の上方に用紙が覆い被さることがなく、排出中の用紙の紙面に形成された画像を使用者が容易に確認することができる。
【００１３】
また本発明は、前記光源は用紙の排出方向に垂直な用紙幅方向において、点灯領域を自由に選択できることとしたことにより、排出される用紙のサイズに応じて点灯領域を制御できるため、不必要な電力供給を抑えることができる。
【発明を実施するための最良の形態】
【００１４】
以下、本発明の実施の形態について、添付図面を参照しながら説明する。
〔第１の実施形態〕
図１は本発明の第１の実施の形態に係る画像形成装置の一例である胴内排紙型複写機の縦断面図であり、図２は図１の胴内排紙型複写機の斜視図である。
【００１５】
図１に示すように、この画像形成装置１は、本体２の上部に画像読み取り装置３及び原稿送り装置（不図示）が配設されており、画像読み取り装置３によって、原稿送り装置（不図示）により送られてきた原稿、或いは原稿載置台３ａに載置された原稿の画像を読み取り、本体２内の下部に配設された用紙収納装置としての給紙カセット５にセットされた用紙Ｐに対し、本体２内の中央部に配設された画像形成部６で画像形成を行う。
【００１６】
画像形成部６では、給紙カセット５から給紙される用紙Ｐが、各搬送ローラ対７により用紙搬送経路８へと搬送され、レジストローラ９によってその先端が揃えられ、感光体ドラム１０上に形成されるトナー像と同期をとって転写位置１１へと送り込まれる。
【００１７】
感光体ドラム１０の周囲には、その回転方向（矢印で示す）に沿って順に、感光体ドラム１０表面を所定の電位に帯電させる帯電器１２、画像読み取り装置３によって読み取られた原稿の画像情報に基づき、感光体ドラム１０表面を選択的に露光して静電潜像を形成する露光器１３、その静電潜像をトナーで現像してトナー像を形成する現像器１４、転写位置１１においてトナー像を用紙Ｐに転写する転写器１５、及び感光体ドラム１０表面に残留するトナーを除去するクリーニング装置１６が配置されている。
【００１８】
転写位置１１において感光体ドラム１０上のトナー像が転写された用紙Ｐは、画像形成部６の下流側に搬送され、定着器１７でトナー像が定着され、排出ローラ対１８によって排出口１９から排出トレイ２１上に裏面排紙される。
【００１９】
ここで、前記排出口１９の下部には光源である蛍光灯２０が設けられており、排出中の用紙Ｐの紙面に形成された画像が、画像が形成された紙面と反対側の紙面に透過されるように配置されている。前記蛍光灯２０の形状は自由であるが、この実施例では、排出される用紙Ｐの排出方向に垂直な用紙幅方向の長さは、排出される最大サイズの用紙の幅方向の長さと同一に設定されている。
【００２０】
また前記蛍光灯２０は、通常、画像形成装置に設けられている用紙サイズ判別手段により、排出される用紙Ｐの用紙サイズが判別され、実際に排出されている用紙Ｐの排出方向に垂直な用紙幅方向の長さのみ点灯するように制御されている。
【００２１】
そして、排出中の用紙Ｐに形成された画像は、前記画像形成装置１の操作位置から、前記蛍光灯２０により、排出中の用紙Ｐの紙面に形成された画像が反対側の紙面に透過されることにより使用者が目視で確認することができる。
【００２２】
このように本発明の構成によれば、排紙口１９の下部に蛍光灯２０を設け、排紙口１９から排出される用紙Ｐの紙面に形成された画像を、前記蛍光灯２０で、前記排出される用紙Ｐの画像が形成された紙面と反対側の面に反射させて、前記排出される用紙Ｐの紙面に形成された画像を使用者に視認可能としたことにより、排出中の用紙Ｐの紙面に形成された画像を使用者が容易に確認することができるため、誤った印刷を最小限に抑えることができ、複数の画像を印刷しようとした場合に、排出された用紙Ｐを裏返さなくても所望の画像が形成された用紙Ｐが排出されたことがわかる。
【００２３】
また本発明は、前記蛍光灯２０は用紙Ｐの排出方向に垂直な用紙幅方向において、点灯領域を自由に選択できることとしたことにより、排出される用紙Ｐのサイズに応じて点灯領域を制御できるため、不必要な電力供給を抑えることができる。
〔第２の実施形態〕
次に、本発明の第２の実施の形態について説明する。図３は本発明の第２の実施の形態に係る画像形成装置の一例である胴内排紙型複写機の斜視図である。
【００２４】
本実施形態では、排出口１９の下方かつ蛍光灯２０の上方に透明なカバー２５を設けている。前記カバー２５は排出された用紙Ｐが積載されないような角度がつけて固定してある。これにより、蛍光灯２０の上方に用紙Ｐが覆い被さらないようになっている。それ以外の構成については第１の実施の形態と同じである。
【００２５】
このように本発明の構成によれば、前記蛍光灯２０の上方に、蛍光灯２０を覆うように透明なカバー２５を設けたことにより、排出トレイ２１に用紙が多量に排出され、積載された前記用紙Ｐが崩れた場合でも、前記蛍光灯２０の上方に用紙Ｐが覆い被さることがなく、排出中の用紙Ｐの紙面に形成された画像を使用者が容易に確認することができる。
【００２６】
以上、本発明の実施形態について説明したが、その他、発明の主旨から逸脱しない範囲で種々の変更を加えて実施することができる。
【産業上の利用可能性】
【００２７】
実施例では画像形成装置の一例である複写機の例を示したが、本発明はこれに限定されるものではなく、ファクシミリやプリンター等にも適用可能である。
【図面の簡単な説明】
【００２８】
【図１】本発明の第１の実施の形態に係る画像形成装置の一例である胴内排紙型複写機の縦断面図。
【図２】図１の胴内排出型複写機の斜視図。
【図３】本発明の第２の実施の形態に係る画像形成装置の一例である胴内排紙型複写機の斜視図。
【図４】胴内排紙型複写機の従来構造を示す斜視図。
【図５】機外排紙型複写機の従来構造を示す斜視図。
【図６】排出トレイの透過部および反射鏡が設けられた機外排紙型複写機の従来構造を示す斜視図。
【符号の説明】
【００２９】
１      画像形成装置
２      本体
３      画像読み取り装置
３ａ    原稿載置台
５      給紙カセット
６      画像形成図
７      搬送ローラ対
８      用紙搬送経路
９      レジストローラ
１０    感光体ドラム
１１    転写位置
１２    帯電器
１３    露光器
１４    現像器
１５    転写器
１６    クリーニング装置
１７    定着器
１８    排出ローラ対
１９    排出口
２０    蛍光灯（光源）
２１    排出トレイ
２２    排出トレイ
２３    反射鏡
２５    カバー
Ｐ      用紙
【図１】
2005330030.tif 000003
【図２】
2005330030.tif 000004
【図３】
2005330030.tif 000005
【図４】
2005330030.tif 000006
【図５】
2005330030.tif 000007
【図６】
2005330030.tif 000008